(57)【要約】    【課題】  １種類で種々の高さに対応することができ、立てかけた箇所の揺れ等にも対処することができるはしごを提供することである。    【解決手段】  内部に空洞（１２ａ）が設けられたパイプ状の外管（１２）と、外管に長さ方向に適当な間隔を隔てて取り付けられた複数の段部材（１４）と、外管の空洞の上部に固定され、上端と下端が開放したパイプ状の案内管（１８）と、案内管内に摺動可能に収容された内管（２０）と、内管の上端に取り付けられ、所望の箇所に引っ掛けるためのフック部（２２）とを備え、所望の箇所の高さ又は所望の箇所の動きに応じて、内管が上下動して全長が調整されるように構成されていることを特徴とするはしご（１０）が提供される。【選択図】  図１
2006283468.tif 000002
【特許請求の範囲】
【請求項１】
内部に空洞が設けられたパイプ状の外管と、
前記外管に長さ方向に適当な間隔を隔てて取り付けられた複数の段部材と、
前記外管の前記空洞の上部に固定され、上端と下端が開放したパイプ状の案内管と、
前記案内管内に摺動可能に収容された内管と、
前記内管の下端に取り付けられ、前記内管が前記案内管から脱落するのを防止するためのストッパと、
前記内管の上端に取り付けられ、所望の箇所に引っ掛けるためのフック部とを備え、
前記所望の箇所の高さ又は前記所望の箇所の動きに応じて、前記内管が上下動して全長が調整されるように構成されていることを特徴とするはしご。
【請求項２】
内部に空洞が設けられたパイプ状の外管と、
前記外管に長さ方向に適当な間隔を隔てて取り付けられた複数の段部材と、
前記外管内に摺動可能に収容された内管と、
前記内管の下端に取り付けられ、前記内管が前記外管から脱落するのを防止するためのストッパと、
前記外管の内部に設けられ、前記内管が所定高さ以上に上昇したとき前記ストッパに当たって前記ストッパの上昇を制限するための手段と、
前記内管の上端に取り付けられ、所望の箇所に引っ掛けるためのフック部とを備え、
前記所望の箇所の高さ又は前記所望の箇所の動きに応じて、前記内管が上下動して全長が調整されるように構成されていることを特徴とするはしご。
【請求項３】
前記外管の下端に、はしごの使用時に地面に接する接地部材が配置されており、前記接地部材が、間に摩擦板を介してボルトで前記外管に取り付けられ、前記接地部材が、地面の傾斜に応じて、前記外管への取り付け角度を調整することができるように構成されていることを特徴とする請求項１又は２に記載のはしご。
【請求項４】
一端が前記ストッパに取り付けられ、他端が前記外管の側壁の孔を経て前記外管の外部に位置する紐を更に備えていることを特徴とする請求項１から３までのいずれか１項に記載のはしご。
【請求項５】
上端と下端が開放したパイプ状の案内管と、
前記案内管内に摺動可能に収容された内管と、
前記内管の下端に取り付けられ、前記内管が前記案内管から脱落するのを防止するためのストッパと、
前記内管の上端に取り付けられ、所望の箇所に引っ掛けるためのフック部とを備え、
前記案内管をはしごに固定することにより、前記所望の箇所の高さ又は前記所望の箇所の動きに応じて、前記内管が上下動してはしごの全長が調整されるように構成されていることを特徴とする伸縮式構造体。
【請求項６】
一端が前記ストッパに取り付けられ、他端が前記案内管の側壁の孔を経て前記案内管の外部に位置する紐を更に備えていることを特徴とする請求項５に記載の伸縮式構造体。
【発明の詳細な説明】
【技術分野】
【０００１】
本発明は一般に、はしご及び伸縮式構造体に関する。より詳細には、本発明は、高さの調整を自由にすることができるはしご及び伸縮式構造体に関する。
【背景技術】
【０００２】
高所で作業したり、高所に移動したりするのに用いるため、種々の型式のはしごが知られている。
【発明の開示】
【発明が解決しようとする課題】
【０００３】
しかしながら、従来のはしごでは、例えば木の剪定作業する際に木の枝にはしごを立てかけると、風等で枝が揺れてはしごが動くため、安定性が悪いという課題がある。また、従来のはしごでは、必要とする高さに応じて、複数種類のはしごを準備しておかなければならないという課題がある。
【０００４】
本発明は、このような状況に鑑みて開発されたものであって、１種類で種々の高さに対応することができ、立てかけた箇所の揺れ等にも対処することができるはしごを提供することを目的とする。
【課題を解決するための手段】
【０００５】
本願請求項１に記載のはしごは、内部に空洞が設けられたパイプ状の外管と、前記外管に長さ方向に適当な間隔を隔てて取り付けられた複数の段部材と、前記外管の前記空洞の上部に固定され、上端と下端が開放したパイプ状の案内管と、前記案内管内に摺動可能に収容された内管と、前記内管の下端に取り付けられ、前記内管が前記案内管から脱落するのを防止するためのストッパと、前記内管の上端に取り付けられ、所望の箇所に引っ掛けるためのフック部とを備え、前記所望の箇所の高さ又は前記所望の箇所の動きに応じて、前記内管が上下動して全長が調整されるように構成されていることを特徴とするものである。
【０００６】
本願請求項２に記載のはしごは、内部に空洞が設けられたパイプ状の外管と、前記外管に長さ方向に適当な間隔を隔てて取り付けられた複数の段部材と、前記外管内に摺動可能に収容された内管と、前記内管の下端に取り付けられ、前記内管が前記外管から脱落するのを防止するためのストッパと、前記外管の内部に設けられ、前記内管が所定高さ以上に上昇したとき前記ストッパに当たって前記ストッパの上昇を制限するための手段と、前記内管の上端に取り付けられ、所望の箇所に引っ掛けるためのフック部とを備え、前記所望の箇所の高さ又は前記所望の箇所の動きに応じて、前記内管が上下動して全長が調整されるように構成されていることを特徴とするものである。
【０００７】
本願請求項３に記載のはしごは、前記請求項１又は２のはしごにおいて、前記外管の下端に、はしごの使用時に地面に接する接地部材が配置されており、前記接地部材が、間に摩擦板を介してボルトで前記外管に取り付けられ、前記接地部材が、地面の傾斜に応じて、前記外管への取り付け角度を調整することができるように構成されていることを特徴とするものである。
【０００８】
本願請求項４に記載のはしごは、前記請求項１から３までのいずれか１項のはしごにおいて、一端が前記ストッパに取り付けられ、他端が前記外管の側壁の孔を経て前記外管の外部に位置する紐を更に備えていることを特徴とするものである。
【０００９】
本願請求項５に記載の伸縮式構造体は、上端と下端が開放したパイプ状の案内管と、前記案内管内に摺動可能に収容された内管と、前記内管の下端に取り付けられ、前記内管が前記案内管から脱落するのを防止するためのストッパと、前記内管の上端に取り付けられ、所望の箇所に引っ掛けるためのフック部とを備え、前記案内管をはしごに固定することにより、前記所望の箇所の高さ又は前記所望の箇所の動きに応じて、前記内管が上下動してはしごの全長が調整されるように構成されていることを特徴とするものである。
【００１０】
本願請求項６に記載の伸縮式構造体は、前記請求項５の構造体において、一端が前記ストッパに取り付けられ、他端が前記案内管の側壁の孔を経て前記案内管の外部に位置する紐を更に備えていることを特徴とするものである。
【発明の効果】
【００１１】
本発明のはしご及び伸縮式構造体によれば、立てかけた箇所が揺れる等して動いても、上下動して全長が調整されるので、良好な安定性を確保することができる。また、種々の高さのはしごを準備しておく必要がなくなる。さらに、本発明のはしご及び伸縮式構造体は、構造が簡単であるので、安価に製造することができ、故障するおそれもない。
【発明を実施するための最良の形態】
【００１２】
次に、図面を参照して、本発明の好ましい実施の形態に係るはしごについて詳細に説明する。図１は本発明の第１の実施の形態に係るはしごの斜視図、図２は図１のはしごの部分断面図である。図１において全体として参照符号１０で示される本発明の第１の実施の形態に係るはしごは、外管１２を備えている。外管１２は、内部に空洞１２ａが設けられている角形パイプで形成されており、上端が開放している。
【００１３】
外管１２には、はしご１０の手持ち部／踏み段となる複数の段部材１４が、長さ方向に適当な間隔を隔てて取付けられている。また、好ましくは、外管１２の下端には、はしご１０の使用時に地面に接する接地部材１６が配置されており、接地部材１６には、使用時にはしご１０の下端を地面に置いた場合に滑らないように、下端が鋭利に形作られたスパイク１６ａが取付けられている。
【００１４】
外管１２の空洞１２ａの上部には、後述する内管２０を案内するための案内管１８が固定されている。案内管１８は、内部に空洞が設けられている角形パイプで形成されており、上端および下端が開放している。
【００１５】
案内管１８の内部には、案内管１８の内径よりも僅かに小さな外径をもつ内管２０が摺動可能に収容されている。内管２０の下端には、内管２０が案内管１８から脱落しないようにストッパ２１が取付けられている。なお、詳細には後述するが、好ましくは、所定高さに上昇した内管１８が下降するのを防止するため、紐１３の一端がストッパ２１に取り付けられており、紐１３の他端が、外管１２の側壁に設けられた孔１２ｂを経て外管１２の外部に出ている。
【００１６】
内管２０の上端には、木の枝等の高所に引っ掛けるためのフック部２２が取り付けられている。図３（ａ）及び図３（ｂ）は、フック部２２の取付け箇所の詳細を示した図である。図３（ａ）に示されるように、フック部２２の基端には、円形板２２ａが固定されており、円形板２２ａの下面には、下方に延びた丸棒２２ｂが取付けられている。丸棒２２ｂは、周面に雄ねじが設けられた円筒形部材２２ｄに通されており、内面に雌ねじ２０ａが設けられた内管２０の上端に円筒形部材２２ｄをねじ込むことによって、フック部２２が内管２０に取付けられるようになっている。なお、丸棒２２ｂの下端には、丸棒２２ｂが円筒形部材２２ｄから脱落しないように、拡径部２２ｃが設けられている。
【００１７】
フック部２２は、上述のように、内管２０に取り付けられているため、水平面内において３６０°回転することができる。しかしながら、水平面内において３６０°回転できると、はしご１０の使用時に不都合が生ずるため、図３（ｂ）に示されるように、円形板２２ａの周縁に下方に延びた突起２２′ａを設け、内管２０の外壁上端に設けた一対の突起２０ｂの範囲内でのみ水平面内において回転できるようにするのが好ましい。
【００１８】
なお、図１では、フック部２２が滑らかな湾曲形状に形作られているものとして示されているが、フック部２２を、例えば図３（ｃ）に示されるような他の任意の形状（参照符号２２′で図示）に形作ってもよい。
【００１９】
図４は、接地部材１６を示した図である。好ましくは、接地部材１６は、ボルト１６ｂによって外管１２の下端に取り付けられており、ボルト１６ｂを緩めて接地部材１６の取り付け角度を調整することにより、はしご１０を使用しようとする地面の傾斜に容易に対処することができるようになっている（図４（ｃ）参照）。なお、安全のため、接地部材１６と外管１２との間に、摩擦係数の大きな材料で形成された摩擦板１６ｃを介在させるのが好ましい。
【００２０】
図５は、内管２０に段部材２０ｄを取り付けることができるように構成した変形形態を示した図である。図５に示される例では、段部材２０ｄは、内管２０に設けた貫通孔２０ｃに段部材２０ｄを通すことにより、着脱自在に装着することができるようになっている（図５（ｂ）参照）。
【００２１】
図６は、はしご１０の変形形態を示した図である。図１に示されるはしご１０は、外管１２の両側に水平な段部材１４が取り付けられているが、図６（ａ）及び図６（ｂ）に示されるような形態にしてもよい。すなわち、図６（ａ）に示されるはしごでは、水平な段部材１４の端部に垂直部材１４ａが取り付けられている（水平な段部材１４と垂直部材１４ａからなる通常のはしごの中央に、はしご１０を固定してもよい）。また、図６（ｂ）に示されるはしごでは、２つのはしご１０を準備し、はしご１０の外管１２同士を段部材１４で連結するように構成されている。
【００２２】
次に、図７を参照して、剪定作業に使用する場合を例として、以上のように構成されたはしご１０の使用について説明する。まず、はしご１０を両手で持って、所望の枝にフック部２２を引っ掛ける。次いで、接地部材１６が地面に接するように、はしご１０を置く。この際、はしご１０は、内管１０が摺動可能に上下動するので、枝の高さに対応してはしご１０の全長が調整される。作業が終了した場合、或いは、はしご１０を他所に移動させようとする場合には、内管２０が最下箇所まで下降しないようにするため、紐１３を持った状態で、はしご１０を僅かに持ち上げて枝からフック部２２を外し、はしご１０を収納したり、他所に移動させたりする。
【００２３】
図８は、本発明の第２の実施の形態に係るはしごを示した断面図である。図８に示されるはしご３０は、案内部材が設けられていない点を除いて、はしご１０と実質的に同一の構成を有している。すなわち、はしご３０は、角パイプで形成された外管３２と、外管３２に取り付けられた段部材３４と、外管３２の内部に摺動可能に収容された内管４０と、内管４０の上端に取り付けられたフック部（図示せず）とを備えている。外管３２の所定高さの箇所の四隅部に切欠き３２ａが設けられ（図８（ｂ）参照）、切欠き３２ａに菱形状部材３３が嵌め込まれており、これにより、切欠き３２ａが設けられている高さの外管３２の内部の四隅には、菱形状部材３３の一部が突出していることになる。一方、内管４０の下端には、矩形状のストッパ４１が取り付けられている。以上の構成により、内管４０が一定高さ以上に上昇すると、図８（ｃ）に示されるように、外管３２の内部の四隅に突出している菱形状部材３３にストッパ４１が当たるため、内管４０が外管３２から脱落するのが防止される。なお、上述の例では、切欠き３２ａと菱形状部材３３の組合せによって内管４０の上昇を制限する手段が構成されているが、内管４０の上昇を制限する手段を他の形態にしてもよい。
【００２４】
図９は、本発明の第３の実施の形態に係るはしごを示した断面図である。図９に示されるはしご（即ち、伸縮式構造体）５０は、段部材を取り付ける代わりに、通常の段ばしごに取り付けるように構成されている点を除いて、はしご１０と実質的に同一の構成を有している。すなわち、伸縮式構造体５０は、角パイプで形成された案内管５２と、案内管５２内に摺動可能に収容された内管５４と、内管５４の下端に取り付けられ、内管５４が案内管５２から脱落するのを防止するためのストッパ５６と、内管５４の上端に取り付けられ、所望の箇所に引っ掛けるためのフック部５８とを備えており、伸縮式構造体５０を、普通の段ばしごに治具６２を用いて固定することにより、はしご１０、３０と同様の機能を発揮することができる。
【００２５】
本発明は、以上の発明の実施の形態に限定されることなく、特許請求の範囲に記載された発明の範囲内で、種々の変更が可能であり、それらも本発明の範囲内に包含されるものであることはいうまでもない。
【００２６】
例えば、前記実施の形態では、外管、案内管が角形パイプで形成され、内管が丸形パイプで形成されているものとして示されているが、内管が上下動するのであれば、他の形状の部材を使用してもよい。また、はしご３０及び伸縮式構造体５０に紐１３を取り付けてもよく、はしご３０に接地部材１６を取り付けてもよい。
【図面の簡単な説明】
【００２７】
【図１】本発明の第１の実施の形態に係るはしごの斜視図である。
【図２】図１のはしごの部分断面図である。
【図３】図１のはしごのフック部の取付け箇所の詳細を示した図であって、図３（ａ）は当該箇所の断面図、図３（ｂ）は当該箇所の斜視図、図３（ｃ）は別の形態のフック部を示した図である。
【図４】図１のはしごの接地部材を示した図であって、図４（ａ）は接地部材の正面図、図４（ｂ）は図４（ａ）の線４ｂ−４ｂに沿って見た図、図４（ｃ）は接地部材によるはしごの角度調整を示した図である。
【図５】図５（ａ）は内管に取り付けられる段部材を示した図、図５（ｂ）は段部材の取付け状態を示した断面図である。
【図６】図６（ａ）は図１のはしごの変形形態を示した斜視図、図６（ｂ）は図１のはしごの別の変形形態を示した斜視図である。
【図７】図１のはしごの使用状態の一例を示した図である。
【図８】本発明の第２の実施の形態に係るはしごを示した図であって、図８（ａ）は部分断面図、図８（ｂ）は外管に設けられる切欠き及び菱形状部材を示した図、図８（ｃ）は図８（ａ）の線８ｃ−８ｃに沿って見た図である。
【図９】本発明の第３の実施の形態に係るはしご（伸縮式構造体）を示した斜視図である。
【符号の説明】
【００２８】
１０、３０、５０  はしご（伸縮式構造体）
１２、３２  外管
１３  紐
１４、３４  段部材
１６  スパイク部材
１８、５２  案内管
２０、４０、５４  内管
２１、４１、５６  ストッパ
２２、５８  フック部
【図１】
2006283468.tif 000003
【図２】
2006283468.tif 000004
【図３】
2006283468.tif 000005
【図４】
2006283468.tif 000006
【図５】
2006283468.tif 000007
【図６】
2006283468.tif 000008
【図７】
2006283468.tif 000009
【図８】
2006283468.tif 000010
【図９】
2006283468.tif 000011